【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
互いに直交する長手方向と幅方向と厚さ方向とを有する吸収性物品であって、
液吸収性の吸収体と、
前記厚さ方向の肌側から前記吸収体を覆うトップシートと、
を有し、
前記吸収体は、前記厚さ方向の肌側に突出して折れ曲がるように誘導する折り誘導線を前記長手方向に沿って有し、
前記吸収体と前記トップシートとは複数の点状圧搾部によって接合されており、
前記折り誘導線の前記幅方向の両側にそれぞれ前記吸収体の厚さの幅を有する折り曲げ誘導領域のうち、少なくとも前記長手方向の中央部には、前記点状圧搾部が形成されておらず、
前記厚さ方向の非肌側から前記吸収体を覆うバックシートと、
前記バックシートから前記幅方向の外側に延出して下着に固定されるウイング部と、
を有し、
前記ウイング部の前記厚さ方向の非肌側には、接着剤が塗布された領域であるウイング粘着部が形成されており、
前記長手方向の中央部は、前記長手方向においてウイング粘着部が形成されている領域であり、
前記幅方向に隣り合う前記点状圧搾部同士の間隔が均等である、ことを特徴とする吸収性物品。
【請求項２】
請求項１に記載の吸収性物品であって、
前記吸収体は、前記折り誘導線に沿って前記厚さ方向の肌側に突出して折れ曲がっている、ことを特徴とする吸収性物品。
【請求項３】
請求項１または２に記載の吸収性物品であって、
前記幅方向に隣り合う前記点状圧搾部同士の間隔は、前記折り曲げ誘導領域の前記幅方向の幅よりも広い、ことを特徴とする吸収性物品。
【請求項４】
互いに直交する長手方向と幅方向と厚さ方向とを有する吸収性物品であって、
液吸収性の吸収体と、
前記厚さ方向の肌側から前記吸収体を覆うトップシートと、
を有し、
前記吸収体は、前記厚さ方向の肌側に突出して折れ曲がるように誘導する折り誘導線を前記長手方向に沿って有し、
前記吸収体と前記トップシートとは複数の点状圧搾部によって接合されており、
前記折り誘導線の前記幅方向の両側にそれぞれ前記吸収体の厚さの幅を有する折り曲げ誘導領域のうち、少なくとも前記長手方向の中央部には、前記点状圧搾部が形成されておらず、
前記厚さ方向の非肌側から前記吸収体を覆うバックシートと、
前記バックシートから前記幅方向の外側に延出して下着に固定されるウイング部と、
を有し、
前記ウイング部の前記厚さ方向の非肌側には、接着剤が塗布された領域であるウイング粘着部が形成されており、
前記長手方向の中央部は、前記長手方向においてウイング粘着部が形成されている領域であり、
前記幅方向に隣り合う前記点状圧搾部同士の間隔は、４ｍｍ以上１５ｍｍ以下である、ことを特徴とする吸収性物品。
【請求項５】
互いに直交する長手方向と幅方向と厚さ方向とを有する吸収性物品であって、
液吸収性の吸収体と、
前記厚さ方向の肌側から前記吸収体を覆うトップシートと、
を有し、
前記吸収体は、前記厚さ方向の肌側に突出して折れ曲がるように誘導する折り誘導線を前記長手方向に沿って有し、
前記吸収体と前記トップシートとは複数の点状圧搾部によって接合されており、
前記折り誘導線の前記幅方向の両側にそれぞれ前記吸収体の厚さの幅を有する折り曲げ誘導領域のうち、少なくとも前記長手方向の中央部には、前記点状圧搾部が形成されておらず、
前記厚さ方向の非肌側から前記吸収体を覆うバックシートと、
前記バックシートから前記幅方向の外側に延出して下着に固定されるウイング部と、
を有し、
前記ウイング部の前記厚さ方向の非肌側には、接着剤が塗布された領域であるウイング粘着部が形成されており、
前記長手方向の中央部は、前記長手方向においてウイング粘着部が形成されている領域であり、
前記点状圧搾部は、前記トップシートの前記肌方向の肌側面に円形の開口部を有し、前記開口部の直径は０．５ｍｍ以上５ｍｍ以下である、ことを特徴とする吸収性物品。
【請求項６】
請求項１〜５のいずれかに記載の吸収性物品であって、
前記折り曲げ誘導領域では、前記トップシートと前記吸収体との間に接着剤が介在していない、ことを特徴とする吸収性物品。
【請求項７】
互いに直交する長手方向と幅方向と厚さ方向とを有する吸収性物品であって、
液吸収性の吸収体と、
前記厚さ方向の肌側から前記吸収体を覆うトップシートと、
を有し、
前記吸収体は、前記厚さ方向の肌側に突出して折れ曲がるように誘導する折り誘導線を前記長手方向に沿って有し、
前記吸収体と前記トップシートとは複数の点状圧搾部によって接合されており、
前記折り誘導線の前記幅方向の両側にそれぞれ前記吸収体の厚さの幅を有する折り曲げ誘導領域のうち、少なくとも前記長手方向の中央部には、前記点状圧搾部が形成されておらず、
前記厚さ方向の非肌側から前記吸収体を覆うバックシートと、
前記バックシートから前記幅方向の外側に延出して下着に固定されるウイング部と、
を有し、
前記ウイング部の前記厚さ方向の非肌側には、接着剤が塗布された領域であるウイング粘着部が形成されており、
前記長手方向の中央部は、前記長手方向においてウイング粘着部が形成されている領域であり、
前記バックシートの前記厚さ方向の非肌側であって、一対の前記ウイング粘着部の前記幅方向の間には、接着剤が塗布された領域である本体粘着部が形成されており、
複数の前記点状圧搾部のうち、前記幅方向の最も外側に形成される点状圧搾部は、前記本体粘着部の前記幅方向の外側端部よりも前記幅方向の外側に形成されている、ことを特徴とする吸収性物品。
【請求項８】
請求項１〜７のいずれかに記載の吸収性物品であって、
前記吸収体には、前記トップシートを構成する繊維と熱融着可能な熱可塑性繊維が含まれている、ことを特徴とする吸収性物品。
【請求項９】
互いに直交する長手方向と幅方向と厚さ方向とを有する吸収性物品であって、
液吸収性の吸収体と、
前記厚さ方向の肌側から前記吸収体を覆うトップシートと、
を有し、
前記吸収体は、前記厚さ方向の肌側に突出して折れ曲がるように誘導する折り誘導線を前記長手方向に沿って有し、
前記吸収体と前記トップシートとは複数の点状圧搾部によって接合されており、
前記折り誘導線の前記幅方向の両側にそれぞれ前記吸収体の厚さの幅を有する折り曲げ誘導領域のうち、少なくとも前記長手方向の中央部には、前記点状圧搾部が形成されておらず、
前記厚さ方向の非肌側から前記吸収体を覆うバックシートと、
前記バックシートから前記幅方向の外側に延出して下着に固定されるウイング部と、
を有し、
前記ウイング部の前記厚さ方向の非肌側には、接着剤が塗布された領域であるウイング粘着部が形成されており、
前記長手方向の中央部は、前記長手方向においてウイング粘着部が形成されている領域であり、
前記吸収体は、液吸収性の吸収性コアと、前記吸収性コアを前記厚さ方向に覆うシート部材とを有し、
前記吸収性コアとシート部材とは複数の吸収体点状圧搾部によって接合されており、
前記幅方向に隣り合う前記吸収体点状圧搾部同士の間隔は、前記幅方向に隣り合う前記点状圧搾部同士の間隔よりも狭い、ことを特徴とする吸収性物品。
【請求項１０】
請求項９に記載の吸収性物品であって、
複数の前記吸収体点状圧搾部のうち少なくとも一部は、前記折り曲げ誘導領域と重複して形成されている、ことを特徴とする吸収性物品。
【請求項１１】
請求項１〜１０のいずれかに記載の吸収性物品であって、
前記吸収体の単位面積当たりの質量が均一である、ことを特徴とする吸収性物品。
【請求項１２】
請求項１〜１１のいずれかに記載の吸収性物品であって、
前記吸収体の厚さは３ｍｍ以下である、ことを特徴とする吸収性物品。
【手続補正２】
【補正対象書類名】明細書
【補正対象項目名】０００６
【補正方法】変更
【補正の内容】
【０００６】
上記目的を達成するための主たる発明は、互いに直交する長手方向と幅方向と厚さ方向とを有する吸収性物品であって、液吸収性の吸収体と、前記厚さ方向の肌側から前記吸収体を覆うトップシートと、を有し、前記吸収体は、前記厚さ方向の肌側に突出して折れ曲がるように誘導する折り誘導線を前記長手方向に沿って有し、前記吸収体と前記トップシートとは複数の点状圧搾部によって接合されており、前記折り誘導線の前記幅方向の両側にそれぞれ前記吸収体の厚さの幅を有する折り曲げ誘導領域のうち、少なくとも前記長手方向の中央部には、前記点状圧搾部が形成されておらず、前記厚さ方向の非肌側から前記吸収体を覆うバックシートと、前記バックシートから前記幅方向の外側に延出して下着に固定されるウイング部と、を有し、前記ウイング部の前記厚さ方向の非肌側には、接着剤が塗布された領域であるウイング粘着部が形成されており、前記長手方向の中央部は、前記長手方向においてウイング粘着部が形成されている領域であり、前記幅方向に隣り合う前記点状圧搾部同士の間隔が均等である、ことを特徴とする吸収性物品である。